(57)【要約】【課題】レターボックス版の黒帯部分と実映像部分との境界のみ輪郭補正が行われないようにすること。【解決手段】１Ｈずつ遅延量の異なる２ｎ＋１個（ｎは自然数）の映像信号を出力するライン遅延部と、この２ｎ＋１個の映像信号のうち中心ラインを着目ラインとして、この着目ラインに対する垂直方向の輪郭成分を抽出する垂直輪郭抽出部と、この輪郭成分を着目ラインに加算して出力する加算器と、着目ラインとその１Ｈ前のライン及び着目ラインとその１Ｈ後のラインとでそれぞれ、２値化した信号を対応する画素毎に大小を比較し、着目ラインの方が大きいと判断された画素数をカウントし、カウント値とそのラインＮｏ．を記憶し、１フレーム間でカウント値が最大のラインとその周辺ラインには垂直方向の輪郭補正を行わないためのディゼーブル信号を出力する垂直輪郭制御部とを具備した。【選択図】    図１
2004260421.tif 000002
【特許請求の範囲】
【請求項１】
１Ｈずつ遅延量の異なる２ｎ＋１個（ｎは自然数）の映像信号を出力するライン遅延部と、この２ｎ＋１個の遅延信号のうち中心のラインを着目ラインとして、この着目ラインに対する垂直方向の輪郭成分を抽出する垂直輪郭抽出部と、抽出した輪郭成分を前記中心のラインに加算して出力する加算器と、前記垂直輪郭抽出部からの垂直輪郭成分を加算器に加算するか否かを決定する垂直輪郭制御部とを具備し、この垂直輪郭制御部は、着目ラインとその１Ｈ前のライン、及び、着目ラインとその１Ｈ後のラインとでそれぞれ、２値化した信号を対応する画素毎に大小を比較し、着目ラインの方が大きいと判断された画素数をカウントし、カウント値とそのラインＮｏ．を記憶し、これを１フレーム間行った結果、カウント値が最大となったラインとその周辺ラインには垂直方向の輪郭補正を行わないためのディゼーブル信号を出力するように構成したことを特徴とする輪郭補正回路。
【請求項２】
１Ｈずつ遅延量の異なる２ｎ＋１個（ｎは自然数）の映像信号を出力するライン遅延部と、この２ｎ＋１個の遅延信号のうち中心のラインを着目ラインとして、この着目ラインに対する垂直方向の輪郭成分を抽出する垂直輪郭抽出部と、抽出した輪郭成分を前記中心のラインに加算して出力する加算器と、前記垂直輪郭抽出部からの垂直輪郭成分を加算器に加算するか否かを決定する垂直輪郭制御部とを具備し、前記垂直輪郭制御部は、着目ライン、着目ラインの１Ｈ前のライン及び着目ラインの１Ｈ後のラインについてそれぞれ２値化スレッショルドレベルに基づいて２値化処理を行う２値化変換部と、着目ラインとその１Ｈ前のラインとで垂直方向に対応した画素の２値化処理後の値を比較して着目ラインの方が大きい画素については“１”を出力する一方の比較器と、着目ラインとその１Ｈ後のラインとで垂直方向に対応した画素の２値化処理後の値を比較して着目ラインの方が大きい画素については“１”を出力する他方の比較器と、一方の比較器の出力を積算してカウントする一方の比較結果積算部と、他方の比較器の出力を積算してカウントする他方の比較結果積算部と、それぞれの比較結果積算部からのカウント値が過去ラインのカウント値よりも大きい場合にそのカウント値とラインＮｏ．を一方側と他方側でそれぞれ記憶して１フレーム間でカウント値が最大であったラインＮｏ．を一方側と他方側でそれぞれ出力する最大値検出部と、カウント値が最大であったラインＮｏ．を一方側と他方側でそれぞれ（Ａ）、（Ｂ）としたときに、ラインＮｏ．が（Ａ−ｎ）、・・・、（Ａ−１）、（Ａ）、・・・、（Ａ＋ｎ−１）の２ｎ個のラインと、（Ｂ−（ｎ−１））、・・・、（Ｂ）、（Ｂ＋１）、・・・、（Ｂ＋ｎ）の２ｎ個のラインに輪郭補正を行わないためのディゼーブル信号を出力する輪郭補正制御部とからなることを特徴とする輪郭補正回路。
【請求項３】
入力映像信号と１Ｈずつ遅延量の異なる４つの遅延信号とからなる５つの信号を出力するライン遅延部と、この５つの信号のうち中心のラインとなる２Ｈ遅延信号を着目ラインとして、この着目ラインに対する垂直方向の輪郭成分を抽出する垂直輪郭抽出部と、抽出した輪郭成分を前記中心となる着目ラインに加算して出力する加算器と、前記垂直輪郭抽出部からの垂直輪郭成分を加算器に加算するか否かを決定する垂直輪郭制御部とを具備し、この垂直輪郭制御部は、着目ラインとその１Ｈ前のライン、及び、着目ラインとその１Ｈ後のラインとでそれぞれ、２値化した信号を対応する画素毎に大小を比較し、着目ラインの方が大きいと判断された画素数をカウントし、カウント値とそのラインＮｏ．を記憶し、これを１フレーム間行った結果、カウント値が最大となったラインとその周辺ラインには垂直方向の輪郭補正を行わないためのディゼーブル信号を出力するようにしたことを特徴とする輪郭補正回路。
【請求項４】
入力映像信号と１Ｈずつ遅延量の異なる４つの遅延信号とからなる５つの信号を出力するライン遅延部と、この５つの信号のうち中心のラインとなる２Ｈ遅延信号を着目ラインとして、この着目ラインに対する垂直方向の輪郭成分を抽出する垂直輪郭抽出部と、抽出した輪郭成分を前記中心となる着目ラインに加算して出力する加算器と、前記垂直輪郭抽出部からの垂直輪郭成分を加算器に加算するか否かを決定する垂直輪郭制御部とを具備し、前記垂直輪郭制御部は、着目ライン、着目ラインの１Ｈ前のライン及び着目ラインの１Ｈ後のラインについてそれぞれ２値化スレッショルドレベルに基づいて２値化処理を行う２値化変換部と、着目ラインとその１Ｈ前のラインとで垂直方向に対応した画素の２値化処理後の値を比較して着目ラインの方が大きい画素については“１”を出力する一方の比較器と、着目ラインとその１Ｈ後のラインとで垂直方向に対応した画素の２値化処理後の値を比較して着目ラインの方が大きい画素については“１”を出力する他方の比較器と、一方の比較器の出力を積算してカウントする一方の比較結果積算部と、他方の比較器の出力を積算してカウントする他方の比較結果積算部と、それぞれの比較結果積算部からのカウント値が過去ラインのカウント値よりも大きい場合にそのカウント値とラインＮｏ．を一方側と他方側でそれぞれ記憶して１フレーム間でカウント値が最大であったラインＮｏ．を一方側と他方側でそれぞれ出力する最大値検出部と、カウント値が最大であったラインＮｏ．を一方側と他方側でそれぞれ（Ａ）、（Ｂ）としたときに、ラインＮｏ．が（Ａ−２）、（Ａ−１）、（Ａ）、（Ａ＋１）の４ラインと、（Ｂ−１）、（Ｂ）、（Ｂ＋１）、（Ｂ＋２）の４ラインに輪郭補正を行わないためのディゼーブル信号を出力する輪郭補正制御部とからなることを特徴とする輪郭補正回路。
【発明の詳細な説明】
【０００１】
【発明の属する技術分野】
本発明は、レターボックス版と呼ばれる原映像の上下に黒い帯部分を設けた映像において、その黒帯部分と実映像部分との境界では輪郭補正が行われないようにした輪郭補正回路に関するものである。
【０００２】
【従来の技術】
従来より、フィルム映画の規格としてビスタサイズとシネスコサイズが使用されており、ビスタサイズは縦横の長さの比率が１：１．６６、又は、１：１．８５の規格であり、シネスコサイズは縦横の長さの比率が１：２．３５の規格である。これらの規格のフィルム映画をビデオ化する場合には、原映像をトリミングによって縦横の比率を調整して画面全体に映像が表示されるように拡大したものと、原映像の上下に黒い帯部分を設けることによってノートリミングで映像を収録したものとがあり、特に後者はレターボックス版と呼ばれている。
【０００３】
レターボックス版は、フィルム映画をそのままの比率で収録することができるものであるが、上下に黒帯部分を有するので、垂直方向に輪郭補正を行うと、この上下に設けた黒帯部分と実映像部分との境界部分が不自然に強調されてしまうという問題があった。この問題を解決するための技術として、例えば特許文献１記載の発明が挙げられる。
【０００４】
特許文献１記載の発明は、レターボックス版における黒帯部分と実映像部分との境界部分に輪郭補正を行わないようにするため、入力された映像信号の各ライン毎に信号レベルの平均値を求め、着目ラインの平均値とその上下のラインの平均値を比較する構成となっていて、着目ラインと上ライン、又は、着目ラインと下ラインとの間で平均値を比較し、ライン毎に平均値が異なる場合には映像部分と判断して輪郭補正を行い、上下のラインと比較した結果平均値の差が無かった場合には無画像部分と判断して輪郭補正を行わないようにしたものである。この様な構成とすることにより、黒帯部分と実映像部分との境界部分において不自然な輪郭強調が行われてしまうことを避けることができる。
【０００５】
【特許文献１】
特開平６−３１５０９８号公報
【０００６】
【発明が解決しようとする課題】
上記特許文献１記載の発明によれば、黒帯部分と実映像部分との境界部分において不自然な輪郭強調が行われてしまうことを避けることができる。
しかし、レターボックス版の黒帯部分に字幕が入っている場合、上記特許文献１記載の発明による方法でこの字幕部分に輪郭強調を行うには、字幕部分の信号レベルの平均値がライン毎に異なるという比較結果を得なければならないが、字幕部分のライン毎の平均値の差はほとんど無いため、字幕が入っているにもかかわらず、無画像部分と判断されて輪郭強調が行われない可能性がある。
【０００７】
本発明は、上記問題点に鑑みなされたもので、レターボックス版の黒帯部分と実映像部分との境界を正確に検出し、この境界部分のみ垂直方向の輪郭補正が行われないように処理する輪郭補正回路を提供することを目的とするものである。
【０００８】
【課題を解決するための手段】
本発明は、１Ｈずつ遅延量の異なる２ｎ＋１個（ｎは自然数）の映像信号を出力するライン遅延部と、この２ｎ＋１個の遅延信号のうち中心のラインを着目ラインとして、この着目ラインに対する垂直方向の輪郭成分を抽出する垂直輪郭抽出部と、抽出した輪郭成分を前記中心のラインに加算して出力する加算器と、前記垂直輪郭抽出部からの垂直輪郭成分を加算器に加算するか否かを決定する垂直輪郭制御部とを具備し、この垂直輪郭制御部は、着目ラインとその１Ｈ前のライン、及び、着目ラインとその１Ｈ後のラインとでそれぞれ、２値化した信号を対応する画素毎に大小を比較し、着目ラインの方が大きいと判断された画素数をカウントし、カウント値とそのラインＮｏ．を記憶し、これを１フレーム間行った結果、カウント値が最大となったラインとその周辺ラインには垂直方向の輪郭補正を行わないためのディゼーブル信号を出力するように構成したことを特徴とする輪郭補正回路である。
【０００９】
このような構成とすることで、レターボックス版における黒帯部分と実映像部分との境界を的確に判別し、境界部分に該当する数ラインのみ垂直輪郭補正を行わないようにできるため、黒帯部分に字幕が入っている場合でも、字幕に垂直輪郭補正処理を行うことができる。
【００１０】
【発明の実施の形態】
本発明の実施の形態を図面に基づいて説明する。
本発明は、レターボックス版における黒帯部分と実映像部分との境界を的確に判別し、境界部分に該当する数ラインのみ垂直輪郭補正を行わないようにし、他の部分では垂直輪郭補正を行うようにした点が特徴であり、特に、レターボックス版における黒帯部分と実映像部分との境界を判別するための回路構成に特徴を持つものである。
【００１１】
図１は、本発明による輪郭補正回路を示したブロック図である。図１において、映像信号入力端子１１からの映像信号はライン遅延部１２に入力され、このライン遅延部１２では、入力信号をそのまま出力した０Ｈディレイ信号と、１Ｈ前の入力信号を１ライン遅延させて出力した１Ｈディレイ信号と、２Ｈ前の入力信号を２ライン遅延させて出力した２Ｈディレイ信号と、３Ｈ前の入力信号を３ライン遅延させて出力した３Ｈディレイ信号と、４Ｈ前の入力信号を４ライン遅延させて出力した４Ｈディレイ信号とがそれぞれラインメモリを用いて生成される。これらの０Ｈ、１Ｈ、２Ｈ、３Ｈ、４Ｈのそれぞれの信号は、後段の垂直輪郭抽出部１４に出力され、また、前記２Ｈディレイ信号は遅延調整部１３に、１Ｈディレイ信号、２Ｈディレイ信号、３Ｈディレイ信号は垂直輪郭制御部１５にそれぞれ出力される。前記垂直輪郭抽出部１４の出力は、輪郭成分加算部１９内部のＡＮＤ回路１７に入力され、同様に、垂直輪郭制御部１５の出力も反転回路１６を介してＡＮＤ回路１７に入力される。遅延調整部１３の出力は、輪郭成分加算部１９内部の加算器１８において前記ＡＮＤ回路１７の出力と加算されて、後段の映像信号出力端子２０から出力される。
【００１２】
垂直輪郭抽出部１４は、例えば、図３に示すように、５タップのＦＩＲフィルタで構成されている。この図３において、０Ｈディレイ信号は乗算器２１に入力されて−１／４倍された後、加算回路２６に入力される。同様に、１Ｈディレイ信号は乗算器２２で０倍、２Ｈディレイ信号は乗算器２３で１／２倍、３Ｈディレイ信号は乗算器２４で０倍、４Ｈディレイ信号は乗算器２５で−１／４倍された後、加算回路２６に入力される。加算回路２６ではこれらの入力された信号を加算したものを垂直輪郭成分２７としてＡＮＤ回路１７に出力する。
【００１３】
垂直輪郭制御部１５は、現在の着目ラインが、映像信号における黒帯部分と実映像部分との境界部分に該当するかどうかを判断し、境界部分ではない場合には、輪郭強調を行うために垂直輪郭抽出部１４で生成された垂直輪郭成分をＡＮＤ回路１７から加算器１８に出力し、境界部分に該当する場合には、輪郭強調を行いたくないので、垂直輪郭成分をＡＮＤ回路１７から加算器１８に出力しないようにする構成とした。
つまり、垂直輪郭制御部１５では、現在の着目ラインが境界部分ではない場合には、信号“０”を出力、即ち、反転回路１６を介してＡＮＤ回路１７に信号“１”を出力し、現在の着目ラインが境界部分である場合には、信号“１”を出力、即ち、反転回路１６を介してＡＮＤ回路１７に信号“０”を出力する構成とした。
【００１４】
図４は、垂直輪郭制御部１５の構成を詳しく説明したブロック図である。図４において、２８、２９、３０は、それぞれ３Ｈディレイ信号入力端子、２Ｈディレイ信号入力端子、１Ｈディレイ信号入力端子であり、これらの入力端子からの３Ｈディレイ信号、２Ｈディレイ信号、１Ｈディレイ信号は、２値化変換部３２に入力されて、それぞれ２値化処理される。このとき２値化変換部３２では、２値化スレッショルドレベル入力端子３１から入力されるスレッショルドレベルを基準として２値化処理を行うが、例えば８ビット映像の場合には、０から２５５まであるレベルのうち、１６、３２等を基準レベルとして２値化処理を行う。３Ｈディレイ信号を２値化処理した出力は比較器３３のＢ入力に入力され、２Ｈディレイ信号を２値化処理した出力は比較器３３のＡ入力、及び、比較器３４のＡ入力に入力され、１Ｈディレイ信号を２値化処理した出力は比較器３４のＢ入力に入力される。
【００１５】
比較器３３では、２Ｈディレイ信号を２値化処理したＡ入力と３Ｈディレイ信号を２値化処理したＢ入力とで、それぞれ垂直方向で対応する画素を比較して、Ａ入力の方が大きい場合には後段の比較結果積算部３５に“１”を出力し、同じかＢ入力の方が大きい場合には後段の比較結果積算部３５に“０”を出力する。同様に、比較器３４では、２Ｈディレイ信号を２値化処理したＡ入力と１Ｈディレイ信号を２値化処理したＢ入力とで、それぞれ垂直方向で対応する画素を比較して、Ａ入力の方が大きい場合には後段の比較結果積算部３６に“１”を出力し、同じかＢ入力の方が大きい場合には後段の比較結果積算部３６に“０”を出力する。
【００１６】
比較結果積算部３５は、前記比較器３３からの比較結果の出力を１ラインの間カウントして、そのカウント値を後段の最大値検出部４５の最大カウント値検出部４１に出力する。この比較結果積算部３５には、映像有効範囲入力端子３７から映像有効範囲信号が入力され、これをカウントイネーブル信号として用い、また、映像有効範囲信号を微分回路３９で立上り微分した信号が入力され、これをカウントリセット信号として用いている。同様に、比較結果積算部３６は、前記比較器３４からの比較結果の出力を１ラインの間カウントして、そのカウント値を後段の最大値検出部４５の最大カウント値検出部４２に出力する。この比較結果積算部３６にも、映像有効範囲入力端子３７から映像有効範囲信号が入力され、これをカウントイネーブル信号として用い、また、映像有効範囲信号を微分回路３９で立上り微分した信号が入力され、これをカウントリセット信号として用いている。
【００１７】
最大値検出部４５は、最大カウント値検出部４１、最大カウント値検出部４２、最大値ラインＮｏ．記憶部４３、及び、最大値ラインＮｏ．記憶部４４からなり、１フレーム中において最大のカウント値となるラインＮｏ．を記憶／更新するとともに、これをフレーム単位で記憶／更新する構成となっている。
【００１８】
このうち、最大カウント値検出部４１は、先ず、前記比較結果積算部３５から入力される１フレーム中の最初にカウントしたラインのカウント値とそのラインＮｏ．を記憶し、次に、この最初にカウントのラインのカウント値と入力されてきたカウント値を比較して、記憶したカウント値を上回る値のカウント値が入力された場合はそのラインＮｏ．とカウント値を更新して記憶し、これを繰り返して１フレーム分行った後、最大のカウント値であったラインＮｏ．を後段の最大値ラインＮｏ．記憶部４３に出力する。
同様に、最大カウント値検出部４２は、先ず、前記比較結果積算部３６から入力される１フレーム中の最初にカウントしたラインのカウント値とそのラインＮｏ．を記憶し、次に、この最初にカウントのラインのカウント値と入力されてきたカウント値を比較して、記憶したカウント値を上回る値のカウント値が入力された場合はそのラインＮｏ．とカウント値を更新して記憶し、これを繰り返して１フレーム分行った後、最大のカウント値であったラインＮｏ．を後段の最大値ラインＮｏ．記憶部４４に出力する。
【００１９】
これらの最大カウント値検出部４１、最大カウント値検出部４２には、映像有効範囲入力端子３７からの映像有効範囲信号を微分回路３９で立下り微分した信号が入力され、この信号が入力されるタイミングで、記憶したカウント値を上回る値のカウント値が入力された場合はラインＮｏ．とカウント値を更新する。
また、最大カウント値検出部４１、最大カウント値検出部４２には、フレーム先頭信号入力端子３８からのフレーム先頭信号が入力され、この信号が入力されるタイミングで、１フレーム分として記憶された最大カウント値とラインＮｏ．をクリアするとともに、後段の最大値ラインＮｏ．記憶部４３、最大値ラインＮｏ．記憶部４４に最大カウント値であったラインＮｏ．をそれぞれ出力する構成となっている。
【００２０】
最大値ラインＮｏ．記憶部４３は、前記最大カウント値検出部４１から入力されたラインＮｏ．を既存のデータに上書きし、また、フレーム先頭信号入力端子３８からフレーム先頭信号が入力されると記憶しているラインＮｏ．を後段の輪郭補正制御部４６における輪郭補正ディゼーブルライン算出部４７に出力する。同様に、最大値ラインＮｏ．記憶部４４は、前記最大カウント値検出部４２から入力されたラインＮｏ．を既存のデータに上書きし、また、フレーム先頭信号入力端子３８からフレーム先頭信号が入力されると記憶しているラインＮｏ．を後段の輪郭補正制御部４６における輪郭補正ディゼーブルライン算出部４８に出力する。
【００２１】
輪郭補正制御部４６は、輪郭補正ディゼーブルライン算出部４７、輪郭補正ディゼーブルライン算出部４８、一致検出部４９、一致検出部５０、及び、ＯＲ回路５１からなり、前記最大値検出部４５において検出した黒帯部分と実映像部分との境界に該当するラインＮｏ．に基づいて、その該当ライン及びその周辺ラインに対して垂直方向の輪郭補正が行われないようにディゼーブル信号を生成して出力する構成となっている。
【００２２】
輪郭補正ディゼーブルライン算出部４７は、前記最大値ラインＮｏ．記憶部４３から入力されたラインＮｏ．とその周辺のラインに垂直方向の輪郭補正が行われないように、その入力されたラインＮｏ．及びその周辺ラインＮｏ．を一致検出部４９に出力する。例えば、図２に示すように、レターボックス版の上側の境界部分におけるカウント値最大ラインのラインＮｏ．を（Ａ）とすると、この輪郭補正ディゼーブルライン算出部４７では、輪郭補正を行わないラインＮｏ．として、（Ａ−２）、（Ａ−１）、（Ａ）、（Ａ＋１）の４ラインを後段の一致検出部４９に出力する。ここで、輪郭補正を行わないライン数を４ラインとしているのは、垂直輪郭成分の抽出を着目ラインとその上下２ラインずつの計５ラインを用いて行っているからであり、レターボックス版の黒帯部分と実映像部分との境界を含まない垂直輪郭成分の抽出を行うには、この４ラインに輪郭補正を行わないようにすればよい。
【００２３】
同様に、輪郭補正ディゼーブルライン算出部４８は、前記最大値ラインＮｏ．記憶部４４から入力されたラインＮｏ．とその周辺のラインに垂直方向の輪郭補正が行われないように、その入力されたラインＮｏ．及びその周辺ラインＮｏ．を一致検出部５０に出力する。例えば、図２に示すように、レターボックス版の下側の境界部分におけるカウント値最大ラインのラインＮｏ．を（Ｂ）とすると、この輪郭補正ディゼーブルライン算出部４７では、輪郭補正を行わないラインＮｏ．として、（Ｂ−１）、（Ｂ）、（Ｂ＋１）、（Ｂ＋２）の４ラインを後段の一致検出部４９に出力する。
【００２４】
一致検出部４９は、ラインカウンタ４０から入力されるラインＮｏ．と前記輪郭補正ディゼーブルライン算出部４７で指定された輪郭補正を行わないラインＮｏ．とを比較して一致又は不一致を判断するものであり、不一致の場合は“０”を後段のＯＲ回路５１に出力し、一致の場合には“１”を後段のＯＲ回路５１に出力する。同様に、一致検出部５０は、ラインカウンタ４０から入力されるラインＮｏ．と前記輪郭補正ディゼーブルライン算出部４８で指定された輪郭補正を行わないラインＮｏ．とを比較して一致又は不一致を判断するものであり、不一致の場合は“０”を後段のＯＲ回路５１に出力し、一致の場合には“１”を後段のＯＲ回路５１に出力する。
なお、ラインカウンタ４０は、映像有効範囲入力端子３７から映像有効範囲信号が入力され、これをカウントイネーブル信号として用いる構成となっており、また、フレーム先頭信号入力端子３８からのフレーム先頭信号をカウントリセット信号として用いることで、１フレームの先頭で累積のカウント数をリセットして、それぞれのフレーム毎にライン数をカウントする構成となっている。
【００２５】
ＯＲ回路５１は、一致検出部４９からの“０”又は“１”の出力と一致検出部５０からの“０”又は“１”の出力とが入力され、この両者の入力の論理和をとって出力する回路である。つまり、一致検出部４９又は一致検出部５０の何れか一方の出力が“１”のとき、ＯＲ回路５１の出力は“１”となり、一致検出部４９と一致検出部５０との両方の出力が共に“０”のとき、ＯＲ回路５１の出力は“０”となる。このＯＲ回路５１の出力は、図１に示すブロック図の輪郭成分加算部１９において、輪郭補正ディゼーブル信号５２として反転回路１６を介してＡＮＤ回路１７に入力される。
【００２６】
上記のような構成における作用を説明する。図１において、ライン遅延部１２でそれぞれ遅延された５ライン分の信号は、垂直輪郭抽出部１４に入力されて垂直輪郭成分が抽出される。また、ライン遅延部１２でそれぞれ遅延された５ライン分の信号のうち、１Ｈディレイ信号、２Ｈディレイ信号及び３Ｈディレイ信号が垂直輪郭制御部１５に入力されて、垂直方向の輪郭補正を行わないラインが検出される。この垂直輪郭制御部１５では、図４に示すように、１Ｈディレイ信号、２Ｈディレイ信号、３Ｈディレイ信号をそれぞれ２値化処理した後、着目ラインとしての２Ｈディレイ信号と、その上下のラインとしての３Ｈディレイ信号、１Ｈディレイ信号をそれぞれ比較して着目ラインの方が大きい画素数を積算し、その積算値が最大となるラインをレターボックス版の黒帯部分と実映像部分との境界部分と判断して、その部分には垂直方向の輪郭補正を行わないようにしている。
【００２７】
図２の例で説明すると、上側の黒帯部分と実映像部分との境界は、着目ライン（Ａ）と１ライン前の（Ａ−１）ラインとを比較したときに積算値が最大となる場合である。つまり、上側の黒帯部分と実映像部分との境界は、着目ラインとその１ライン前のラインを比較したときに検出できるものであり、これは比較器３３で検出できることになる。逆に、下側の黒帯部分と実映像部分との境界は、着目ライン（Ｂ）と１ライン前の（Ｂ＋１）ラインとを比較したときに積算値が最大となる場合である。つまり、下側の黒帯部分と実映像部分との境界は、着目ラインとその１ライン後のラインを比較したときに検出できるものであり、これは比較器３４で検出できることになる。このようにして検出した黒帯部分と実映像部分との境界の前後２ラインの計４ライン、つまり、上側と下側で４ラインずつについてのみ垂直方向の輪郭補正を行わないようにしている。
【００２８】
このように、境界部分のみに輪郭補正を行えるようにしたことにより、従来技術において問題点であった、上下に設けた黒帯部分と実映像部分との境界部分が不自然に強調されてしまうという問題は解消され、また、上下に設けた黒帯部分と実映像部分との境界部分には輪郭補正を行わず、黒帯部分には輪郭補正を行うことができるため、例えば、黒帯部分に字幕が入っているような映像においては、字幕部分に輪郭強調を行うことが出来る構成となっている。
【００２９】
前記実施例において、垂直輪郭抽出部１４は、図３に示すように、５タップのＦＩＲフィルタとし、係数の組合せとして（−１／４，０，１／２，０，−１／４）を設定しているが、本発明はこれに限られるものではない。例えば、係数の組合せが（−１／４，１／２，−１／４）である３タップのＦＩＲフィルタを用いて垂直輪郭成分を抽出するようにしてもよい。
【００３０】
前記実施例では、２値化変換部３２では、２値化スレッショルドレベル入力端子３１から入力されるスレッショルドレベルを輝度レベルが０から２５５まであるうちの１６、３２等を基準レベルとして２値化処理を行うようにした。これは、前記実施例の場合、入力映像信号が８ビット信号で輝度レベルが０から２５５まであるとすると、レターボックス版の黒帯部分の輝度レベルは１５程度であり、これを２値化処理したときに“０”と判断させるために、１６、３２等を基準レベルとして２値化処理を行うようにしたものである。この様に、２値化スレッショルドレベルは、ビット数や黒帯部分の輝度レベル等によって調整すべき値であり、前記実施例の１６、３２に限定されるものではない。よって、任意のスレッショルドレベルを設定できるものであるが、実映像部分の多くが“０”と判断される状況は好ましくなく、スレッショルドレベルは黒帯部分と実映像部分を区別できる程度のあまり大きくない基準レベルを設けることが好ましい。
【００３１】
【発明の効果】
請求項１記載の発明によれば、１Ｈずつ遅延量の異なる２ｎ＋１個（ｎは自然数）の映像信号を出力するライン遅延部と、この２ｎ＋１個の遅延信号のうち中心のラインを着目ラインとして、この着目ラインに対する垂直方向の輪郭成分を抽出する垂直輪郭抽出部と、抽出した輪郭成分を前記中心のラインに加算して出力する加算器と、前記垂直輪郭抽出部からの垂直輪郭成分を加算器に加算するか否かを決定する垂直輪郭制御部とを具備し、この垂直輪郭制御部は、着目ラインとその１Ｈ前のライン、及び、着目ラインとその１Ｈ後のラインとでそれぞれ、２値化した信号を対応する画素毎に大小を比較し、着目ラインの方が大きいと判断された画素数をカウントし、カウント値とそのラインＮｏ．を記憶し、これを１フレーム間行った結果、カウント値が最大となったラインとその周辺ラインには垂直方向の輪郭補正を行わないためのディゼーブル信号を出力するようにしたので、境界部分に該当する数ラインのみ垂直輪郭補正を行わないようにでき、黒帯部分に字幕が入っている場合でも、字幕に垂直輪郭補正を行うことができる。
【００３２】
請求項２記載の発明によれば、１Ｈずつ遅延量の異なる２ｎ＋１個（ｎは自然数）の映像信号を出力するライン遅延部と、この２ｎ＋１個の遅延信号のうち中心のラインを着目ラインとして、この着目ラインに対する垂直方向の輪郭成分を抽出する垂直輪郭抽出部と、抽出した輪郭成分を前記中心のラインに加算して出力する加算器と、前記垂直輪郭抽出部からの垂直輪郭成分を加算器に加算するか否かを決定する垂直輪郭制御部とを具備し、前記垂直輪郭制御部は、着目ライン、着目ラインの１Ｈ前のライン及び着目ラインの１Ｈ後のラインについてそれぞれ２値化スレッショルドレベルに基づいて２値化処理を行う２値化変換部と、着目ラインとその１Ｈ前のラインとで垂直方向に対応した画素の２値化処理後の値を比較して着目ラインの方が大きい画素については“１”を出力する一方の比較器と、着目ラインとその１Ｈ後のラインとで垂直方向に対応した画素の２値化処理後の値を比較して着目ラインの方が大きい画素については“１”を出力する他方の比較器と、一方の比較器の出力を積算してカウントする一方の比較結果積算部と、他方の比較器の出力を積算してカウントする他方の比較結果積算部と、それぞれの比較結果積算部からのカウント値が過去ラインのカウント値よりも大きい場合にそのカウント値とラインＮｏ．を一方側と他方側でそれぞれ記憶して１フレーム間でカウント値が最大であったラインＮｏ．を一方側と他方側でそれぞれ出力する最大値検出部と、カウント値が最大であったラインＮｏ．を一方側と他方側でそれぞれ（Ａ）、（Ｂ）としたときに、ラインＮｏ．が（Ａ−ｎ）、・・・、（Ａ−１）、（Ａ）、・・・、（Ａ＋ｎ−１）の２ｎ個のラインと、（Ｂ−（ｎ−１））、・・・、（Ｂ）、（Ｂ＋１）、・・・、（Ｂ＋ｎ）の２ｎ個のラインに輪郭補正を行わないためのディゼーブル信号を出力する輪郭補正制御部とからなるようにしたので、レターボックス版における黒帯部分と実映像部分との境界を的確に判別することができる。
【００３３】
請求項３記載の発明によれば、入力映像信号と１Ｈずつ遅延量の異なる４つの遅延信号とからなる５つの信号を出力するライン遅延部と、この５つの信号のうち中心のラインとなる２Ｈ遅延信号を着目ラインとして、この着目ラインに対する垂直方向の輪郭成分を抽出する垂直輪郭抽出部と、抽出した輪郭成分を前記中心となる着目ラインに加算して出力する加算器と、前記垂直輪郭抽出部からの垂直輪郭成分を加算器に加算するか否かを決定する垂直輪郭制御部とを具備し、この垂直輪郭制御部は、着目ラインとその１Ｈ前のライン、及び、着目ラインとその１Ｈ後のラインとでそれぞれ、２値化した信号を対応する画素毎に大小を比較し、着目ラインの方が大きいと判断された画素数をカウントし、カウント値とそのラインＮｏ．を記憶し、これを１フレーム間行った結果、カウント値が最大となったラインとその周辺ラインには垂直方向の輪郭補正を行わないためのディゼーブル信号を出力するようにしたので、境界部分に該当する数ラインのみ垂直輪郭補正を行わないようにでき、黒帯部分に字幕が入っている場合でも、字幕に垂直輪郭補正を行うことができる。
【００３４】
請求項４記載の発明によれば、入力映像信号と１Ｈずつ遅延量の異なる４つの遅延信号とからなる５つの信号を出力するライン遅延部と、この５つの信号のうち中心のラインとなる２Ｈ遅延信号を着目ラインとして、この着目ラインに対する垂直方向の輪郭成分を抽出する垂直輪郭抽出部と、抽出した輪郭成分を前記中心となる着目ラインに加算して出力する加算器と、前記垂直輪郭抽出部からの垂直輪郭成分を加算器に加算するか否かを決定する垂直輪郭制御部とを具備し、前記垂直輪郭制御部は、着目ライン、着目ラインの１Ｈ前のライン及び着目ラインの１Ｈ後のラインについてそれぞれ２値化スレッショルドレベルに基づいて２値化処理を行う２値化変換部と、着目ラインとその１Ｈ前のラインとで垂直方向に対応した画素の２値化処理後の値を比較して着目ラインの方が大きい画素については“１”を出力する一方の比較器と、着目ラインとその１Ｈ後のラインとで垂直方向に対応した画素の２値化処理後の値を比較して着目ラインの方が大きい画素については“１”を出力する他方の比較器と、一方の比較器の出力を積算してカウントする一方の比較結果積算部と、他方の比較器の出力を積算してカウントする他方の比較結果積算部と、それぞれの比較結果積算部からのカウント値が過去ラインのカウント値よりも大きい場合にそのカウント値とラインＮｏ．を一方側と他方側でそれぞれ記憶して１フレーム間でカウント値が最大であったラインＮｏ．を一方側と他方側でそれぞれ出力する最大値検出部と、カウント値が最大であったラインＮｏ．を一方側と他方側でそれぞれ（Ａ）、（Ｂ）としたときに、ラインＮｏ．が（Ａ−２）、（Ａ−１）、（Ａ）、（Ａ＋１）の４ラインと、（Ｂ−１）、（Ｂ）、（Ｂ＋１）、（Ｂ＋２）の４ラインに輪郭補正を行わないためのディゼーブル信号を出力する輪郭補正制御部とからなるようにしたので、レターボックス版における黒帯部分と実映像部分との境界を的確に判別することができる。
【図面の簡単な説明】
【図１】本発明による輪郭補正回路の構成を示したブロック図である。
【図２】図１の輪郭補正回路における垂直輪郭制御部１５を用いてレターボックス版の上下の黒帯部分と実映像部分との境界を検出するための最大値ライン、及び、輪郭補正を行わない４ラインを示した模式図である。
【図３】図１の輪郭補正回路における垂直輪郭抽出部１４の構成を示したブロック図である。
【図４】図１の輪郭補正回路における垂直輪郭制御部１５の詳細な構成を示したブロック図である。
【符号の説明】
１１…映像信号入力端子、１２…ライン遅延部、１３…遅延調整部、１４…垂直輪郭抽出部、１５…垂直輪郭制御部、１６…反転回路、１７…ＡＮＤ回路、１８…加算器、１９…輪郭成分加算部、２０…映像信号出力端子、２１…乗算器、２２…乗算器、２３…乗算器、２４…乗算器、２５…乗算器、２６…加算回路、２７…垂直輪郭成分、２８…３Ｈディレイ信号入力端子、２９…２Ｈディレイ信号入力端子、３０…１Ｈディレイ信号入力端子、３１…２値化スレッショルドレベル入力端子、３２…２値化変換部、３３…比較器、３４…比較器、３５…比較結果積算部、３６…比較結果積算部、３７…映像有効範囲入力端子、３８…フレーム先頭信号入力端子、３９…微分回路、４０…ラインカウンタ、４１…最大カウント値検出部、４２…最大カウント値検出部、４３…最大値ラインＮｏ．記憶部、４４…最大値ラインＮｏ．記憶部、４５…最大値検出部、４６…輪郭補正制御部、４７…輪郭補正ディゼーブルライン算出部、４８…輪郭補正ディゼーブルライン算出部、４９…一致検出部、５０…一致検出部、５１…ＯＲ回路、５２…輪郭補正ディゼーブル信号。
【図１】
2004260421.tif 000003
【図２】
2004260421.tif 000004
【図３】
2004260421.tif 000005
【図４】
2004260421.tif 000006